Podtech/llm-jp-corpus-v4-ja_patent huggingface dataset:
(57)【要約】      （修正有）【課題】穴の開いた積み木を接続するための円柱形のジョイント棒であって、積み木への抜き差しをしやすくするとともに、貫通穴に対して、ジョイント棒を通り抜けさせることができるようにする穴開き積み木接続用円柱形のジョイント棒を提供する。【解決手段】円柱形のジョイント棒１の両端に直角に切れ込み２を設ける。切れ込み２の左右を指で強くつまむと先端部２ａが、先端部２ａの左右を強くつまむと切れ込み２が、それぞれ小径の状態となり、積み木側の穴への抜き差しが容易になるとともに、つまんだ指をはなすと、径が元にもどって積み木側の穴の内側面と密着し、はずれにくくなる。また、ジョイント棒の中央部まで径がフレキシブルになるため、ジョイント棒を貫通させて使用することができる。【選択図】図１
0003210548.tif 000002
【実用新案登録請求の範囲】
【請求項１】
穴開き積み木接続用の円柱形ジョイント棒の両端から、ジョイント棒の中央部付近で直角に交差するように切れ込みを入れ、一方の端を指で圧縮すると他方の端も連動して圧縮されて小径となり、積み木に開けた穴への抜き差しが容易になるとともに、圧縮を止めれば元の径にもどり、接続穴の内面に密着してはずれにくくなるようにしたところを特徴とする、穴開き積み木連結用のジョイント棒。
【請求項２】
ジョイント棒の全長の３分の２ほどの切れ込みにより、ジョイント棒全体の径がフレキシブルになっているため、貫通穴に対して深く差し込むことができるのみならず、穴を通り抜けさせることも可能となった、穴開き積み木連結用のジョイント棒。
【考案の詳細な説明】
【技術分野】
【０００１】本考案は、穴の開いた積み木どうしを接続するための木製の円柱形ジョイント棒に関するものである。
【背景技術】
【０００２】積み木玩具において、穴の開いた複数の積み木を木製のジョイント棒で接続する場合、ジョイント棒を挿入するときは木槌で打ち込み、とりはずすときはペンチで引き抜くなどしていた。
【先行技術文献】
【非特許文献】
【０００３】
【非特許文献１】和久洋三「童具の宇宙」作品カタログ解説書２０１５・２０１６版  仕様および価格表，株式会社童具館，Ｐ１３〜Ｐ１４
【考案の概要】
【考案が解決しようとする課題】
【０００４】木槌やペンチなどの使用は、積み木玩具で遊ぶ年少の児童にとっては負担が大きく、また思わぬ危険もともなう。従って、それらの道具を使用することなくジョイント棒の抜き差しが可能で、かつ、ある程度の接続強度を保つことによって前述の欠点を解消し、玩具としての扱いやすさを向上させようとするものである。
【課題を解決するための手段】
【０００５】本考案は、積み木を接続するための円柱形のジョイント棒の両端から、ジョイント棒の中央部付近で垂直に交差するように、ジョイント棒の径の４分の１程度の切れ込みを入れる。切れ込みの長さは、ジョイント棒の長さの３分の２程度が目安である。このようにして作ったジョイント棒の一方の端を指で圧縮すると、他方の端に力が伝わり、他方の端もまた指で圧縮したときと同様の状態となり、径が縮小する効果を生じるため、積み木側の穴への抜き差しを容易にすることで問題点を解決している。
【考案の効果】
【０００６】上述のように、本考案による接続用のジョイント棒は、積み木側の穴への抜き差しが容易になることに加え、指をはなせば反対側も径の縮小が解消されるため、ジョイント棒が積み木側の穴の側面に密着し、はずれにくくなるという効果も合わせ持つ。さらに、従来型のジョイント棒では不可能であった、貫通穴に対してジョイント棒そのものを通り抜けさせて使用することも可能となる。
【図面の簡単な説明】
【０００７】
【図１】本考案の積み木接続用ジョイント棒の見取り図である。
【図２】本考案の積み木接続用ジョイント棒の各面の投影図である。
【図１】
0003210548.tif 000003
【図２】
0003210548.tif 000004
【手続補正書】
【提出日】平成29年3月2日(2017.3.2)
【手続補正１】
【補正対象書類名】実用新案登録請求の範囲
【補正対象項目名】全文
【補正方法】変更
【補正の内容】
【実用新案登録請求の範囲】
【請求項１】
穴開き積み木接続用の円柱形ジョイント棒の左右両端から、ジョイント棒の中央部付近で直角に交差するように、直径の４分の１幅の切れ込みを、各端から全長の３分の２の位置まで入れ、その一方の端を指でつまんで圧縮すると、張力の効果により他方の端も連動して圧縮されて小径となり、積み木に開けた穴への抜き差しが容易になるとともに、圧縮を止めれば左右両端ともに元の径にもどり、接続穴の内面に密着してはずれにくくなるようにしたところを特徴とする穴開き積み木接続用のジョイント棒。
【請求項２】
左右両端からジョイント棒の全長の３分の２まで入れた切れ込みにより、ジョイント棒の中央部付近においても棒の径がフレキシブルとなり、両端が小径となる効果が中央部付近にまで波及し、貫通穴に対して深く差し込むことができるのみならず、穴を通り抜けさせることも可能となった、請求項１に記載の穴開き積み木接続用のジョイント棒。
(57)【要約】【課題】安価で、着脱させやすく、首輪および胴輪を装着した状態で着用させられる犬用レインコートを提供する。【解決手段】犬の後頭部から尻尾の付け根までの背側を覆い、加えて首部両側に首固定部５ａ、５ｂ、胴部両側に胴固定部６ａ、６ｂを設けた形状にポリエチレンシートを成形した平面シート２に、首輪と連結させるリードを通す箇所にミシン目３を設け、胴輪と連結させるリードを通す箇所にミシン目４を設け、首固定部５ａ、５ｂおよび胴固定部６ａ、６ｂにそれぞれ面ファスナーテープ７ａ、７ｂ、８ａ、８ｂを貼付した、平面状の犬用レインコート。【選択図】図１
0003210451.tif 000002
【実用新案登録請求の範囲】
【請求項１】
犬の後頭部から尻尾の付け根までの背側を覆い、加えて首部両側に首固定部を設け、胴部両側に胴固定部を設けた形状にポリエチレンシートを成形した平面状の犬用レインコートであって、
首固定部両側および胴固定部両側にそれぞれ面ファスナーテープが貼付されたことを特徴とする犬用レインコート。
【請求項２】
前記ポリエチレンシートの首輪と連結させるリードを通す箇所および胴輪と連結させるリードを通す箇所にそれぞれミシン目が設けられたことを特徴とする請求項１に記載の犬用レインコート。
【考案の詳細な説明】
【技術分野】
【０００１】  本考案は、雨天時の散歩等で使用する犬用レインコートに関するものである。
【背景技術】
【０００２】  従来、撥水処理を施したナイロンやポリエステル等の布を材料に用い、縫製加工が施された犬用レインコートが多くあった。【０００３】  実用新案文献１には、ポリエチレンフィルムからなる安価で使い捨ても可能なペット用レインコートが提案されている。
【先行技術文献】
【実用新案文献】
【０００４】
【実用新案文献１】
実用新案登録第３２０３３６３号公報
【考案の概要】
【考案が解決しようとする課題】
【０００５】  撥水処理された布を縫製加工した犬用レインコートは、素材および縫製等の製造工程にコストがかかり、高価になりがちである。しかし、梅雨時など雨の続く時期には複数着を用意しておく必要があり、一着あたりの価格が安い犬用レインコートが要望されている。【０００６】  また、レインコートの着用をいやがって激しく動く犬では、着用時に手間のかかる形態、例えば脚部分がズボン状になっているものや、複数のホックを留めるもの、あるいは実用新案文献１にみられるような頭部を挿通させたり、紐を結んだりするものは着用が困難になる場合がある。【０００７】  さらに、犬の散歩は首輪あるいは胴輪を装着し、それらにリードを繋いで行うが、首輪あるいは胴輪のどちらの場合であっても、それらの上から被せる状態で着用させられ、リードを通すことが可能な犬用レインコートが要望されている。【０００８】  本考案はこのような事情に鑑みて創案されたもので、安価で、動く犬でも容易に着脱させられ、首輪や胴輪のいずれを装着した犬にもそれらを装着したまま、上から被せて使用できる犬用レインコートを提供することを目的としたものである。
【課題を解決するための手段】
【０００９】  犬の後頭部から尻尾の付け根までの背側を覆い、加えて首部両側に首固定部５ａ、５ｂおよび、胴部両側に胴固定部６ａ、６ｂを設けた形状にポリエチレンシートを成形した平面シート２に、首輪と連結させるリードを通す箇所にミシン目３を設け、胴輪と連結させるリードを通す箇所にミシン目４を設け、首固定部５ａ、５ｂおよび胴固定部６ａ、６ｂにそれぞれ面ファスナーテープ７ａ、７ｂ、８ａ、８ｂを貼付した、平面状の犬用レインコート。
【考案の効果】
【００１０】  ポリエチレンシートはポリ袋に使用される極めて安価な素材であり、これを打ち抜き加工のみで作製する平面シート２に面ファスナーテープ７ａ、７ｂ、８ａ、８ｂを貼付した本考案は、非常に安価な犬用レインコートを提供するものである。【００１１】  本考案は、犬の背側からマントのようにかぶせ、首固定部５ａ、５ｂおよび胴固定部６ａ、６ｂのそれぞれの面ファスナーテープ７ａと７ｂ、および８ａと８ｂをそれぞれ接着させるだけで簡単に着用させられる犬用レインコートであり、着用時にじっとしていない犬に対しても容易に着せることができる。【００１２】  平面シート２には首輪と連結させるリードを通す箇所にミシン目３を設け、胴輪と連結させるリードを通す箇所にミシン目４を設けており、首輪あるいは胴輪を装着した上から着用させても、必要に応じてどちらかのミシン目を破くことにより、首輪あるいは胴輪のいずれともリードを繋ぐことが可能である。
【図面の簡単な説明】
【００１３】
【図１】本考案の平面図
【図２】本考案の使用状態を示す斜視図
【考案を実施するための形態】
【００１４】  本考案の実施の形態を図面を参照して説明する。
平面シート２に使用するポリエチレンシートは、具体的には０．０５〜０．１ミリメートル程度の厚みの低密度ポリエチレンシートであり、この素材は防水効果に優れるとともに、泥等の汚れが付着しにくく、犬が着用した際に動きを妨げない柔軟性をもち、複数回使用しても簡単には破れない強度を有し、さらに動きによる音が発生しにくいため、犬用レインコートに適した素材である。
【００１５】  上記ポリエチレンシートを犬の後頭部から尻尾の付け根までを覆い、加えて首部両側に首固定部５ａ、５ｂおよび、胴部両側に胴固定部６ａ、６ｂを設けた形状に打ち抜き加工により断裁する。本加工時には、同時に、首輪と連結させるリードを通す箇所および胴輪と連結させるリードを通す箇所のそれぞれに、簡単に破くことのできるミシン目３およびミシン目４を打ち抜き加工により設ける。
【００１６】  平面シート２の首固定部５ａに面ファスナーテープ７ａを貼付し、首固定部５ｂには面ファスナーテープ７ａを貼付した反対の面に面ファスナーテープ７ｂを貼付する。
【００１７】  平面シート２の胴固定部６ａに面ファスナーテープ８ａを貼付し、胴固定部６ｂには面ファスナーテープ８ａを貼付した反対の面に面ファスナーテープ８ｂを貼付する。
本考案は以上のような構造である。
【００１８】  本考案を使用するときは、首輪あるいは胴輪を装着した犬の背に平面シート２を被せた後、首固定部５ａ、５ｂの面ファスナーテープ７ａ、７ｂを犬の首のサイズに合わせた位置で接着させ、同様に胴固定部６ａ、６ｂの面ファスナーテープ８ａ、８ｂを犬の胴のサイズに合わせた位置で接着させる。
散歩時に首輪にリードを連結させる場合は、ミシン目３を破り、開いた穴にリードを通して、首輪と連結させる。胴輪にリードを連結させる場合はミシン目４を破り、開いた穴にリードを通して、胴輪と連結させる。
使用後は接着されている面ファスナーテープ７ａと７ｂおよび８ａと８ｂをそれぞれ剥がすことで容易に脱がせることができる。
【符号の説明】
【００１９】１  犬用レインコート
２  平面シート
３  ミシン目
４  ミシン目
５ａ、５ｂ  首固定部
６ａ、６ｂ  胴固定部
７ａ、７ｂ、８ａ、８ｂ  面ファスナーテープ
【図１】
0003210451.tif 000003
【図２】
0003210451.tif 000004
(57)【要約】      （修正有）【課題】ロープの取り出し使用が容易に行われるロープの収納用バッグを提供する。【解決手段】平面形態を略円形とし、内部を巻回状態とされたロープＲの収納部７とし、ロープＲを収納部７へ収納するための収納用開口９が周側面８に沿ってジッパー６により開閉可能に設けられ、持ち運びに使用する持ち手５が設けられ、表側面４の中央にロープＲの引出孔１３が設けられるとともに引出孔１３から延び出すロープＲ端の納め部１５が設けられた。【選択図】図１
0003210452.tif 000002
【実用新案登録請求の範囲】
【請求項１】
内部を巻回状態とされたロープの収納部とするとともに、前記ロープを前記収納部へ収納するための収納用開口を備え、表側面の中央位置に前記ロープの引出孔が設けられてなることを特徴とするロープの収納体。
【請求項２】
持ち運びに使用する持ち手が設けられてなる請求項１記載のロープの収納体。
【請求項３】
前記収納用開口が周側面に沿ってジッパーにより開閉可能に設けられてなる請求項１記載のロープの収納体。
【請求項４】
前記表側面に前記引出孔から延び出すロープ端の納め部が設けられてなる請求項１記載のロープの収納体。
【請求項５】
平面形態を略円形とし、内部を巻回状態とされたロープの収納部とし、前記ロープを前記収納部へ収納するための収納用開口が周側面に沿ってジッパーにより開閉可能に設けられ、持ち運びに使用する持ち手が設けられ、表側面の中央位置に前記ロープの引出孔が設けられるとともに、前記表側面に前記引出孔から延び出すロープ端の納め部が設けられてなることを特徴とするロープの収納用バッグ。
【考案の詳細な説明】
【技術分野】
【０００１】  この考案は、ロープの収納体におけるロープの取り出し使用構成に関する。
【背景技術】
【０００２】  各種工事現場等においてはロープが汎く使用される。上部が開き持ち手のついたロープを持ち運ぶためのバッグが提供されているが、このものではロープを取り出して裁断使用する際に、巻回されたロープは重量があって、かつ、形態が一定でないので、バッグからの出し入れに手間がかかる問題があった。また、ロープを取り出し伸ばした状態として長さを計り裁断する作業にも手間がかかった。
【考案の概要】
【考案が解決しようとする課題】
【０００３】  この考案は上記の事情に鑑みて行ったもので、ロープの取り出し使用が容易に行われるロープの収納体及びロープの収納用バッグを提供する。
【課題を解決するための手段】
【０００４】  この考案では、内部を巻回状態とされたロープの収納部とするとともに、前記ロープを前記収納部へ収納するための収納用開口を備え、表側面の中央位置に前記ロープの引出孔が設けられてなることを特徴とするロープの収納体を提供する。【０００５】  上記構成のロープの収納体によれば、収納部に収納されるロープの中心位置において延び出すロープの端部が表側面の中央位置にある引出孔から外部にスムーズに引き出され、その引き出されたロープが裁断使用される。【０００６】  持ち運びに使用する持ち手が設けられる構成とされることで、持ち運び等の取り扱いが容易に行われる。【０００７】  収納用開口が周側面に沿ってジッパーにより開閉可能に設けられることで、ロープの収納が容易に行われる。【０００８】  表側面に引出孔から延び出すロープ端の納め部が設けられることで、ロープの端部が所定位置に安定して見栄え良く納まる。【０００９】  さらに、この考案では、平面形態を略円形とし、内部を巻回状態とされたロープの収納部とし、前記ロープを前記収納部へ収納するための収納用開口が周側面に沿ってジッパーにより開閉可能に設けられ、持ち運びに使用する持ち手が設けられ、表側面の中央位置に前記ロープの引出孔が設けられるとともに、前記表側面に前記引出孔から延び出すロープ端の納め部が設けられてなることを特徴とするロープの収納用バッグを提供する。【００１０】  上記構成のロープの収納用バッグによれば、収納部に収納されるロープの中心位置において延び出すロープの端部が引出孔から外部に引き出されることで、ロープの全体を収納用バッグから出し入れすることなくその使用分を取り出すことができる。さらに、収納用開口が周側面に沿ってジッパーにより開閉可能に設けられた収納用開口においてロープの収納が容易に行えるとともに、持ち手を持っての持ち運び等の取り扱いが容易に行え、納め部において表側面上のロープの端部を所定位置に安定して見栄え良く納めることができる。
【考案の効果】
【００１１】  この考案によれば、ロープの全体を収納用バッグから出し入れすることなくロープを取り出し使用でき、ロープの収納と持ち運び等の取り扱いとがともに容易に行えて便利に使用され、かつ、見栄えも良い、きわめて実用性に優れるロープの収納用バッグが得られる。
【図面の簡単な説明】
【００１２】
【図１】この考案のロープの収納用バッグ（ロープの収納体）の外観斜視図
【図２】この考案のロープの収納用バッグ（ロープの収納体）の開き状態の外観斜視図
【考案の好ましい実施形態】
【００１３】  図１はこの考案のロープの収納用バッグ（ロープの収納体）の外観斜視図、図２は同開き状態の外観斜視図である。ロープの収納用バッグ１は織物が補強材とし埋設される樹脂シート製のバッグ本体３に一対の布製の持ち手５が取り付けられて構成されている。
【００１４】  バッグ本体３は平面形態が略正円形であり、内部を巻回状態とされたロープＲの収納部７とし、周側面８にロープＲを収納部７へ収納するためのジッパー６により開閉可能な収納用開口９が設けられている。バック本体３の表側面４の中央にはハトメ金具が装着されたロープＲの引出孔１３が設けられるとともに、その近傍には引出孔１３から延び出すロープＲ端の納め部１５が設けられている。持ち手５のそれぞれはその端部が周側面８に固着されて取り付けられている。
【００１５】  上記構成のロープの収納用バック１は、収納部７内に巻回状態とされたロープＲが収納されるとともに、そのロープＲの中心位置において延び出すロープＲの端部１６が引出孔１３から外部に引き出された状態とされる。ロープＲは引出孔１３が表側面４の中央位置にあることで外部にスムーズに引き出される。ロープＲの全体が収納用バッグ１から取り出されることなくロープＲは引出されて使用される。引出孔１３から引き出されたロープＲの長さを計り裁断することで所望長さのロープＲが容易に得られる。使用後に引出孔１３から延び出して残るロープＲの端部１６は納め部１５内に通される。これによりロープＲの端部１６が所定位置に安定して見栄え良く納まる。
【００１６】  ロープＲは収納部７内へ周側面８に設けられた収納用開口９からジッパー１５が開かれた状態において差し入れられて収納される。収納用開口９が周側面８に設けられるとともにジッパー６により開閉されるので、ロープＲの収納が容易に行われる。また、持ち手５が設けられていることで、その持ち運び等の取り扱いが容易に行われる。
【符号の説明】
【００１７】１    ロープの収納用バッグ（ロープの収納体）
３    バッグ本体
４    表側面
５    持ち手
６    ジッパー
７    収納部
８    周側面
９    収納用開口
１３  引出孔
１５  納め部
【図１】
0003210452.tif 000003
【図２】
0003210452.tif 000004
(57)【要約】【課題】  焼却炉床面積が１ｍ２に満たない小型焼却炉において、排ガスからより効果的に熱回収できる熱交換用パイプを提供する。【解決手段】  焼却室の炉頂平坦面に設置する側を扁平状とする弧状断面形状の長尺水平パイプ３の一側に低温水供給パイプ４また他側に昇温水送出用パイプ５を接続すると共に、該長尺水平パイプ３内に耐食性金属材料のカール巻ブロック６を収納して構成した小型焼却炉の熱交換器用パイプである。【選択図】図１
0003210444.tif 000002
【実用新案登録請求の範囲】
【請求項１】
焼却室の炉頂平坦面に設置する側を扁平状とする弧状断面形状の長尺水平パイプの一側に低温水供給パイプまた他側に昇温水送出パイプを接続すると共に、該長尺水平パイプ内に耐食性金属材料のカール巻ブロックを収納して構成した事を特徴とする小型焼却炉の熱交換器用パイプ。
【考案の詳細な説明】
【技術分野】
【０００１】  本考案は、焼却炉床面積が１ｍ２に満たない小型焼却炉で、家庭や工場などから廃棄される生ごみや紙屑やゴム製品などの廃棄物を焼却する際に排出される高ガス中の排熱を捨てる事なく効率的に回収する小型焼却炉の熱交換器用パイプに関するものである。
【背景技術】
【０００２】  最近の廃棄物焼却技術は、環境や人体に悪影響を及ぼす窒素酸化物やダイオキシンなどの有害物質の発生を抑制するため、高い焼却温度を求め易い大型焼却炉で操業されている。また必然的に高められる排ガス温度は、熱交換器を利用し、水道水あるいは昇温水を冷却した後の低温水を昇温しタービンやシリンダーの駆動力としてまた給湯設備を介して入浴用や室内暖房用など幅広い分野で使用されている。熱交換器とは温度差のある両流体が隔壁を介して通過する際に熱交換を行うものであって、多管式や渦巻き管式やＵ字管式など多くの形式の交換器が存在する。また小型焼却炉に熱交換器を接続した排熱回収装置もあり、多くの特許公報で紹介されている。例えば、実開平６−２０５１号公報は「焼却炉の排熱を回収し水の加熱に利用する焼却炉の排熱回収装置の中で使用する焼却炉の煙突内や貯湯タンク内に銅パイプをコイル状に成形した熱交換器」、特開２００１−３１７８８５号公報では「高温排ガス中の排熱を回収するために、ステンレス製の伝熱プレートで横方向通気路と縦方向排ガス通路を形成したプレート式直交型熱交換機を使う」、また特開２０１４−３７９５１号は「焼却炉の煙突から大量の熱放出を防止するもので、流入煙道口と排出煙道口を備えた外水筒の中に螺旋フィンを持つ内水筒を備えた温水ボイラーの熱交換装置など、構造の異なる多くの種類の熱交換装置が開発されている。しかしながら、いずれの熱交換器も、低温水を熱交換器用パイプ内に低温水供給弁を開いて層流的に流す構造に設けられているため、期待されるほどの熱交換効果が得られない問題があった。
【先行技術文献】
【０００３】
【特許文献１】実開平６−２０５１号公報
【特許文献２】特開２００１−３１７８８５号公報
【特許文献３】特開２０１４−３７９５１号公報
【考案の概要】
【考案が解決しようとする課題】
【０００４】  本考案者らは、焼却炉床面積が１ｍ２に満たない小型焼却炉において、排熱ガスからより効果的に熱回収できる熱交換器用パイプを提供する事を目的に種々の実験と検討を繰り返した結果、熱交換用パイプ内に流入した水を微細な水流子状態あるいは気泡状態で流す事によって熱回収効果が向上する事を知見した。本考案はこの知見に基づいて構成しものである。
【課題を解決するための手段】
【０００５】  本考案の要旨は、焼却室の炉頂平坦面に設置する側を扁平状とする弧状断面形状の長尺水平パイプの一側に低温水供給パイプまた他側に昇温水送出パイプを接続すると共に、該長尺水平パイプ内に耐食性金属材料のカール巻ブロックを収納して構成した小型焼却炉の熱交換器用パイプである。
【考案の効果】
【０００６】  上記の様な構造の本考案の小型焼却炉の熱交換器用パイプは、低温水供給パイプから送給される水の温度を確実に上昇させる作用効果を奏する。
【図面の簡単な説明】
【０００７】
【図１】  本考案の一実施例を斜視図で示したもので、小型焼却炉の焼却室炉頂平坦面に設置した熱交換器用パイプの一部を切り欠いて内部構造を示す。
【考案を実施するための形態】
【０００８】  以下、本考案について図面を参照しながら詳細に説明する。
図１において、１は小型焼却炉の焼却室炉頂部を示す。２は、焼却室の排ガス排出口に立設された排ガス用の煙突である。３は長尺水平パイプである。長尺水平パイプ３は焼却室炉頂部１の平坦面に設置する側を扁平状としかつ低温水や昇温水をパイプ内で淀ませる事なく円滑に流れる様に弧状断面形状に成形する事によって、焼却物の燃焼熱で高温度に昇温する焼却室の炉頂面に広い面積で当接して熱伝達性を高めかつ排ガス熱を大きく吸熱する作用効果を奏する。さらに長尺水平パイプ３の一側には低温水供給パイプ４をまた他側には昇温水送出用パイプ５を接続すると共に、該長尺水平パイプ内には耐食性金属材料のカール巻ブロック６を収納して構成されている。カール巻ブロック６とは、メッキ鋼板やステンレス鋼板や銅板などの様に水や熱によって錆びる事の無い耐食性金属材料を薄くまた短くリボン状に成形しまたは加工したものをブロック状に寄せ集めたものである。また一般に入手し易い鉄板は錆び易くまた合成樹脂は熱で変形し易い性質から長時間使用に耐えない問題から好ましい材料ではない。本考案において上記の様にカール巻ブロック６を長尺水平パイプ３内に収納して使用する事によって、低温水供給パイプ４から供給された低温水が昇温水送出用パイプ５に流れる際にカール巻ブロック６の狭隘な間隙を縫う様に流れる間に衝突と粉砕を繰り返しながら微細な水分粒子となり、さらに高い排気温度も影響して気泡化（水蒸気化）し易い作用効果を奏する。その効果は、カール巻ブロック６を使用しない場合に比べて５〜８℃も高い。
【０００９】  また上記の様な本考案の熱交換用パイプは、焼却室の炉頂平坦面以外焼却室の外周壁でも実施できるが焼却熱を必要以上に低下する問題、また円周形状の煙突の周壁面でも設置し使用可能であるが周壁面に合わせて成形加工する厄介な作業から製作費が高くなる問題がある。
【００１０】  上記した本考案の小型焼却炉の熱交換用パイプは、市販される小型焼却炉の付帯装置として開発された排熱回収装置でも使用できるため、今後益々利用される可能性が高い。
【符号の説明】
【００１１】１  小型焼却炉の焼却室炉頂部
２  煙突
３  長尺水平パイプ
４  低温水供給パイプ
５  昇温水送出用パイプ
６  カール巻ブロック
【図１】
0003210444.tif 000003
(57)【要約】      （修正有）【課題】ビン類等を安全かつ効率よく収容でき、運搬が楽にでき、飛行機の預け手荷物としても預けられ、利用しない時は小さくたため、保冷性を備えた、キャスターが付いたキャリーバッグを提供する。【解決手段】クッション性の高い素材で造られた上部に蓋がある収容部１と、その中にビン類を入れて運搬しても破損しない為の着脱可能な中仕切りと、収容物同士の接触を防ぐためのボトルネックホルダーと、前面小型収容部２と、伸縮可能な移動用キャスター３と、持ち上げる際に持ちやすい側面の持ち手７と、肩に掛けるベルト４と、を有する。収容部は断熱素材で造られており、さらに保冷剤を入れるスペースがあるため、温度管理が可能なだけでなく、仕切りを外して一般的なクーラーバッグとしても利用できる。【選択図】図１
0003210448.tif 000002
【実用新案登録請求の範囲】
【請求項１】
クッション性の高い素材で造られた上部に蓋がある収容部と、その中にビン類を入れて運搬しても破損しない為の着脱可能な中仕切りと、収容物同士の接触を防ぐためのボトルネックホルダーと、前面小型収容部と、伸縮可能な移動用キャスターと、持ち上げる際に持ちやすい側面の持ち手と、肩に掛けるベルトと、を有することを特徴とするキャリーバッグ。
【請求項２】
収容部が、断熱効果がある素材でできており、さらに収容部内に保冷剤等を収納するスペースがあり、着脱可能な中仕切りを取り外す事でクーラーバッグとしても利用可能なことを特徴とする請求項１に記載のキャリーバッグ。
【請求項３】
利用しない時には小さくたため、飛行機等利用時には、預け手荷物としてビン類を入れた状態で預けられることを特徴とする請求項１または請求項２に記載のキャリーバッグ。
【考案の詳細な説明】
【技術分野】
【０００１】      本考案は、ビン類を収納し、搬送および、飛行機で預け手荷物として預けられるキャリーバッグに関するものである。
【背景技術】
【０００２】      ２０１７年２月現在、国際民間航空機関（ＩＣＡＯ）の指示のもと、主に国際線における航空機内への液体物の持ち込みが制限されており、液体が入ったビン類等を空輸する際には、スーツケース等に入れる、もしくはダンボールその他の梱包材に別途入れて預け手荷物として運搬するのが通常となっている。【０００３】      しかしながら、一般に使用されているキャリーバッグは、ビン類等の壊れ易い物を搬送するための構造にはなっておらず、そのため緩衝材の利用が必要であり、また効率よく収容できない。また、飛行機の預け手荷物として預けるのに適したビン類専用の梱包材は、あまり普及していない事から入手が難しく、また購入した後、保管する場合にも場所をとるため不向きである。さらに運搬中の温度管理が難しい。
【特許文献】
【０００４】
【特許文献１】特開平８−２０５９１５
【考案の概要】
【考案が解決しようとする課題】
【０００５】      本考案は、係る事実を考慮し、ビン類等を効率よくまた安全に収容でき、運搬が楽にでき、飛行機の預け手荷物としても預けることが可能であり、利用しない場合は小さくたため、保冷機能を備えたキャリーバッグを提供することを目的とする。
【課題を解決するための手段】
【０００６】      本考案は、収容部がクッション性の高い素材で造られており、その中に着脱可能な中仕切りと、収容物同士の接触を防ぐためのボトルネックホルダーにより構成されており、主にビン類を効率よくまた安全に収容できる。また、伸縮可能な移動用キャスターと、運搬する際に持ちやすい側面の持ち手や、肩に掛けベルトがあるため、運搬が容易にできる形状になっている。そのため、飛行機の預け手荷物として預けても収納されたビン類を破損することなく運搬できる。【０００７】      また収容部は、断熱効果がある素材でできており、さらに収容部内に保冷剤等を収納するポケットがあるので、運搬中の温度管理が可能である。さらに、中仕切りは着脱が可能なので、取り外す事でクーラーバッグとしても利用可能である。【０００８】      不要時には小さくたたむ事ができる為、保管が容易で再利用が可能である。また飛行機等を利用する際には、預け手荷物としてビン類を入れた状態で預けられることにより問題点を解決している。
【考案の効果】
【０００９】      上記の様に、本考案のビン類搬送用保冷キャリーバッグは、ビン類を安全かつ効率よく収納出来るだけでなく、運搬が容易、温度管理が可能、保管が容易、再利用が可能である、さらには他の用途にも活用できる点で役立つ。また、旅行の際には、たたんだ状態で持って行き、帰りは飛行機の預け手荷物として預けて帰って来ることが可能となる。
【図面の簡単な説明】
【００１０】
【図１】本考案に係るキャリーバッグの全体斜視図である。
【図２】本考案に係るキャリーバッグの正面図である。
【図３】本考案に係るキャリーバッグの裏面図である。
【図４】本考案に係るキャリーバッグの側面図である。
【図５】本考案に係るキャリーバッグの収容部の内部を示す斜視図である。
【図６】本考案に係るキャリーバッグにビン類を収容した際の内部を示す斜視図である。
【図７】本考案に係るキャリーバッグをたたんだ際の正面図である。
【図８】本考案に係るキャリーバッグをたたんだ際の側面図である。
【考案を実施するための形態】
【００１１】      図１に示す様に、本考案に係るキャリーバッグは、ビン類等を収容する収容部１と、運搬を容易できるための伸縮可能なキャスター部３と、持ちやすくする為の持ち手７を設け、また肩に担ぐための肩掛けベルト４が装着できる形態になっている。
【００１２】    収容部は図５に示す様に、上蓋９を開けると保冷剤を収納できるポケット１０があり、断熱素材で造られている。また着脱可能なクッション性の高い中仕切り１１を取付ける事で、外部からの衝撃および中に入るビン同士の衝撃を防ぐとともに、効率よく収納することが可能な形状になっている。さらに、搬送時にビン同士がぶつかり破損するのを防ぐため、ビン類を固定するボトルネックホルダー１２とで構成されている。
【００１３】    図７および図８に示す様に、利用しない時は、小さくたためる形状になっている。
【産業上の利用可能性】
【００１４】  本考案に係るキャリーバッグは、酒造メーカーおよび飲料輸入業者等が、自社の商品を入れて営業活動を行う際にも、利用することが可能なキャリーバッグを提供する。
【符号の説明】
【００１５】１  収容部
２  全面小型収容部
３  キャスター
４  肩掛けベルト
５  ハンドル
６  キャスターバー
７  持ち手
８  支脚
９  上蓋
１０  保冷剤収容ポケット
１１  中仕切り
１２  ボトルネックホルダー
【図１】
0003210448.tif 000003
【図２】
0003210448.tif 000004
【図３】
0003210448.tif 000005
【図４】
0003210448.tif 000006
【図５】
0003210448.tif 000007
【図６】
0003210448.tif 000008
【図７】
0003210448.tif 000009
【図８】
0003210448.tif 000010
(57)【要約】      （修正有）【課題】ゴミ収集場所で風や動物によってゴミの散乱を防ぐためのネットであて、太陽光線に含まれる紫外線による劣化を防ぎ、寿命が長いネットを提供する。【解決手段】ゴミの散乱防止ネット１は、４辺に柔軟性のある線状重錘体２を縫い込み、網を構成する合成繊維に紫外線吸収効果に優れるカーボンブラックを配合した。【選択図】図１
0003210449.tif 000002
【実用新案登録請求の範囲】
【請求項１】
風や動物によるゴミの拡散を防ぐためにゴミ収集の際に上から被せて置く、４辺に柔軟性のある線状重錘体を縫い込み、紫外線吸収効果に優れるカーボンブラックを配合した繊維によって構成される網目の細かいネット
【考案の詳細な説明】
【技術分野】
【０００１】本発明はゴミ収集場所でゴミが風や動物によって拡散することを防止するためにかぶせておくネットに関するものである。
【背景技術】
【０００２】ゴミ収集場所ではゴミの散乱を防止するために、４辺に柔軟性のある線状重錘体を縫い込んで風や動物によってめくられるのを防ぎ、なおかつカラスの嘴が入らない細かい網目のネットが使われている。
【考案の概要】
【考案が解決しようとする課題】
【０００３】ゴミの散乱防止ネットは、ごみ収集場所である屋外に設置される事から太陽光線に含まれる紫外線によって劣化し、寿命が短かった。
【課題を解決するための手段】
【０００４】一般的には黄色や青、緑色のネットが使用されているが、本考案によるゴミ散乱防止ネットではネットを構成する繊維に紫外線吸収効果に優れるカーボンブラックを配合した黒色のネットとする。
【考案の効果】
【０００５】紫外線による劣化を防ぎ、長期間に及び効果を発揮する。
【図面の簡単な説明】
【０００６】
【図１】本考案によるネットの平面図
【考案を実施するための形態】
【０００７】図１において１は紫外線吸収効果に優れるカーボンブラックを配合した黒いネットで目合いはカラスの嘴が入らない４ミリメートル前後である。２は柔軟性のある線状重錘体である。３は柱やフェンスなどに結びつけて固定するための紐ロープである。
【符号の説明】
【０００８】１はカーボンブラックを配合したネット
２は線状重錘体
３は固定用紐ロープ
【図１】
0003210449.tif 000003
(57)【要約】      （修正有）【課題】夏季の西陽を制限し、利用者に良好な環境を提供する休憩施設を提供する。【解決手段】休憩施設の概ね西側に桁下から下方に向けて適度な長さの垂れ壁、あるいは壁を形成する。ベンチ等に座る利用者の頭の高さは地面から１０５０ｍｍ〜１３００ｍｍ程度であり、頭部への直射日光を遮る事で、暑さを和らげることが出来る。【選択図】図７
0003210442.tif 000002
【実用新案登録請求の範囲】
【請求項１】
休憩施設本体の概ね西側において、桁下から下方に向けて適度な長さの垂れ壁、あるいは壁を持ち合わせた特徴を有する休憩施設。
【考案の詳細な説明】
【考案の詳細な説明】
【技術分野】
【０００１】本考案は、休憩施設の概ね西側に垂れ壁、あるいは壁を形成させることによって、夏季の西陽を制限し、利用者に良好な環境を提供する為の休憩施設に関するものです。
【背景技術】
【０００２】従来、公園等に設置してある休憩施設は、屋根部と柱で構成されており、壁がない構造（図１、図２）のものが多い。したがって、夏季の西陽（７月〜８月）午後４時頃の遮蔽率の向上を図る構造と形状と言えるものではなかった。
（図５、図６）
具体的に  従来の休憩施設では、
夏季気温は正午前後から１６時頃まで高く、暑さを感じる。
正午の太陽方位は南側で、太陽角度は約７０〜７６度程度であり、この場合、屋根構造にしてやれば下部利用者に直射日光が当たり難いため、従来の休憩施設で対応可能であるといえる。（図９、図１０）
課題となるのは午後４時頃の太陽方位は概ね西側（図３、図４）となり、その時の太陽角度は約３４〜３８度（図５、図６）程度である。（大阪における経緯度より）実際の利用を考えた場合、桁下から入射する日差しが、休憩施設の下部でベンチ等に座る利用者の直接頭部にあたってしまい、暑いという不快を感じてしまう状況であった。（図５、図６）
等の問題点を抱えていた。
【考案が解決しようとする課題】
【０００３】本発明は、これらの問題点を解決するために考案されたものである。
【課題を解決する為の手段】
【０００４】休憩施設本体の概ね西側において、桁下から下方に向けて適度な長さの垂れ壁、あるいは壁を形成させる。（図７、図８、図１３）
【考案を実施するための最良の形態】
【０００５】休憩施設の下でベンチ等が設置されている場合、利用者の頭の高さは地面から１０５０ｍｍ〜１３００ｍｍ程度であり、頭部への直射日光を遮る事で、暑さを和らげることが出来る。その為には休憩施設の概ね西側において、桁下から下方に向けて適度な長さの垂れ壁を装着する。（図７、図８、図１３）【０００６】なお、本考案の実施に当たって次の如きことができる。
夏季の気温が上昇する時間帯の日差しを制限することによって快適な空間の提供が期待できる。
【考案の効果】
【０００７】したがって、季節に応じて、休憩施設内で快適な環境を作ることができる。
【図面の簡単な説明】
【図１】従来の休憩施設の事例写真（四阿、シェルター）
【図２】従来の休憩施設の事例写真（パーゴラ）
【図３】７月１０日における時間別太陽方位平面図（大阪の経緯度とする）
【図４】８月１０日における時間別太陽方位平面図（大阪の経緯度とする）
【図５】７月１０日午後４時における太陽入射角度と利用者への影響に関する断面図（大阪の経緯度とした従来の課題）
【図６】８月１０日午後４時における太陽入射角度と利用者への影響に関する断面図（大阪の経緯度とした従来の課題）
【図７】本考案の効果を説明する断面図（７月１０日）
【図８】本考案の効果を説明する断面図（８月１０日）
【図９】７月１０日正午における太陽入射角度と利用者への影響に関する断面図（大阪の経緯度とした従来の課題）
【図１０】８月１０日正午における太陽入射角度と利用者への影響に関する断面図（大阪の経緯度とした従来の課題）
【図１１】本考案の断面図（北側から見た場合）
【図１２】本考案の断面図（南側から見た場合）
【図１３】本考案の断面図（西側から見た場合）
【図１４】本考案の断面図（東側から見た場合）
【符号の説明】１    本考案の垂れ壁断面図（７月１０日）
２    本考案の垂れ壁断面図（８月１０日）
３    本考案の垂れ壁（北側から見た場合の位置図）
４    本考案の垂れ壁（南側から見た場合の位置図）
５    本考案の垂れ壁（西側から見た場合の位置図）
【図１】
0003210442.tif 000003
【図２】
0003210442.tif 000004
【図３】
0003210442.tif 000005
【図４】
0003210442.tif 000006
【図５】
0003210442.tif 000007
【図６】
0003210442.tif 000008
【図７】
0003210442.tif 000009
【図８】
0003210442.tif 000010
【図９】
0003210442.tif 000011
【図１０】
0003210442.tif 000012
【図１１】
0003210442.tif 000013
【図１２】
0003210442.tif 000014
【図１３】
0003210442.tif 000015
【図１４】
0003210442.tif 000016
(57)【要約】【課題】  本考案は、直接便座に手が触れることなく便座を昇降することができ、不快感及び不潔感のない補助具を提供する。【解決手段】  本考案は、袋状の構造を有する便座昇降時に使用する補助具で、袋状の中に指を差し入れることで便座の裏側などに直接指が触れることなく便座昇降時に不快感や不潔感を抱くことなく清潔に便座を昇降できる補助具である。【選択図】図１
0003210417.tif 000002
【実用新案登録請求の範囲】
【請求項１】
一定の幅と長さを有する短冊を中間位置で折り返し、形成される面Ａと面Ｂの折り返し部の両側を接着することで、数本の指を挿入することができるようにした袋状の構造を有することを特徴とする便座昇降時に使用する補助具。
【請求項２】
前記補助具の面Ａの長さを変えずに面Ｂを長くし、面Ｂを面Ａより短い位置で外向きに折り返して面Ｃを形成し、面Ｃの幅が便座の高さと同じ位置のところで更に外側に折り返して面Ｄを形成した袋状の構造を有し、必要に応じて面Ａに折り目を施し、指を挿入しやすくして使用することもできることを特徴とする便座昇降時に使用する補助具。
【請求項３】
前記補助具の外面（面Ａ’〜面Ｄ’）に撥水性シート又は防水性シートを貼り付けるか、撥水剤又は防水剤を噴霧して撥水性を持たせたもの、更に、必要に応じて面Ｂ、及び面Ｄの外面（面Ｂ’、面Ｄ’）に止着剤粘着テープを貼り付けた袋状の構造を有すること特徴とする便座昇降時に使用する補助具。
【考案の詳細な説明】
【技術分野】
【０００１】    本考案は袋状の構造を有することを特徴とする便座昇降時に使用する補助具に関する。より詳しくは、飛散した尿や雑菌などで汚れた便座に直接指で触らなくても便座を昇降することができる補助具に関する。
【背景技術】
【０００２】    近年、水洗便器の普及・発展は著しく、便座が自動で昇降する便器も販売されているが、手動で昇降しなければならないものも少なくない。手動の場合、飛散した尿や雑菌などで汚れた便座に直接手で触れなくてはならず、不潔・不衛生に感じることがある。そこで、これまでに紐をつけたり取っ手をつけたりしたものが考案されている。
【先行技術文献】
【特許文献】
【０００３】
【特許文献１】特開２００６−２８０８７６
【特許文献２】実用新案登録３０５２７２６
【０００４】    特許文献１では紐で便座を開閉するものであるが、紐が便器の中にはまり込んだりして汚れてしまうという問題があった。
特許文献２では便座に固定して使用するものであるが、固定されており着脱ができないため、清掃に手間がかかるという問題があった。
【考案の概要】
【考案が解決しようとする課題】
【０００５】    本考案は、飛散した尿や雑菌などで汚れた便座の昇降に直接手で触れなくても済み、いつでも取り換えられる補助具を提供するものである。
【課題を解決するための手段】
【０００６】    本考案は、便座を昇降させる際に指を入れて使用することができる補助具を開発することにより、飛散した尿や雑菌などで汚れた便座の裏側などに直接指が触れなくて済み、指先が汚染されるのを防ぐことができる補助具を見出し、本考案に至った。使用方法としては、使用時に指先に付けて使用することも、また、事前に便座に取り付けておいて使用することもできる。
【考案の効果】
【０００７】    本考案によれば、飛散した尿や雑菌などで汚れた便座の裏側などに直接指が触れなくて済み、便座の昇降時に指先が汚染されるのを防ぐことができて、不潔・不衛生に感じることがなくなる。
【図面の簡単な説明】
【０００８】
【図１】本考案の便座昇降時に使用する補助具の斜視図
【図２】本考案の便座昇降時に使用する補助具のＥ〜Ｅ’断面図
【図３】本考案の便座昇降時に使用する補助具を便座に装着した実施例を示した斜視図である。
【図４】本考案の便座昇降時に使用する補助具を便座に装着した実施例のＦ〜Ｆ’断面図である。
【図５】本考案の便座昇降時に使用する補助具を便座に装着した実施例の写真である。
【考案を実施するための形態】
【０００９】    飛散した尿や雑菌などで汚れた便座の裏側などに直接指が触れなくて済むように数本の指先を袋の中に入れて使用できる補助具で、指先が汚染されるのを防ぐことができる。使用方法としては、使用時に指先に付けて使用することも、また、事前に便座に取り付けておいて使用することもできる。
【実施例１】
【００１０】    使用時に指を入れて使う方法
請求項１の補助具を袋又は箱に入れて便座の近くに置いておき、使用時に１個を取り出し、例えば、人差し指と中指を袋状の中に差し入れ、便座の下側をそのまま掴み、持ち上げることで便座を昇降させる。使用した後の補助具は便器内に流すか便器の近くに設置したゴミ箱に捨てる。
【実施例２】    使用時に指を入れて使う方法
請求項２の補助具を袋又は箱に入れて便座の近くに置いておき、使用時に１個を取り出し、例えば、人差し指と中指を袋状の中に差し入れ、便座の下側をそのまま掴み、便座の上側の面を親指で挟み、安定して持ち上げることで便座を昇降させる。また、必要に応じ袋状部に折り目を施すことで指を挿入しやすくなる。使用した後の補助具は便器内に流すか、便座の近くに設置したゴミ箱に捨てる。
【実施例３】    使用時に指を入れて使う方法
請求項３の補助具を袋又は箱に入れて便座の近くに置いておき、使用時に便座に挟むか、貼り付けて固定し、例えば、人差し指と中指を袋状の中に差し入れ、便座の下側をそのまま掴み、便座の上側の面Ｄを親指で挟み、安定して持ち上げることで便座を昇降させる。数回使用した後、便座から取り外して近くに設置したゴミ箱に捨てる。
【符号の説明】
【００１１】Ａ  袋を形成した指を挿入する内面
Ｂ  袋を形成した指を挿入する内面
Ｃ  便座の高さを有する面
Ｄ  親指で掴む面
１  止着材
２  止着材
３  折目
【図１】
0003210417.tif 000003
【図２】
0003210417.tif 000004
【図３】
0003210417.tif 000005
【図４】
0003210417.tif 000006
【図５】
0003210417.tif 000007
【手続補正書】
【提出日】平成29年3月2日(2017.3.2)
【手続補正１】
【補正対象書類名】実用新案登録請求の範囲
【補正対象項目名】全文
【補正方法】変更
【補正の内容】
【実用新案登録請求の範囲】
【請求項１】
一定の幅と長さを有する短冊を中間位置で折り返し、形成される面Ａと面Ｂの折り返し部の両側を接着することで、数本の指を挿入することができるようにした袋状の構造を有することを特徴とする便座昇降時に使用する補助具。
【請求項２】
請求項１記載の補助具の面Ａの長さを変えずに面Ｂを長くし、面Ｂを面Ａより短い位置で外向きに折り返して面Ｃを形成し、面Ｃの幅が便座の高さと同じ位置のところで更に外側に折り返して面Ｄを形成した袋状の構造を有し、面Ａに折り目を施して指を挿入しやすくして使用できることを特徴とする請求項１に記載の補助具。
【請求項３】
請求項１及び２記載の補助具の外面（Ａ’〜Ｄ’）に撥水性シート又は防水性シートを貼り付けるか、撥水剤又は防水剤を噴霧して撥水性を持たせたもの、更に補助具の面Ｂ及び面Ｄの外面（Ｂ’、Ｄ’）に止着剤粘着テープを貼り付けた袋状の構造を有することを特徴とする請求項１及び２に記載の補助具。
(57)【要約】      （修正有）【課題】左右のブレーキが遊びなく連動するとともに、アウター付ワイヤーの先端の長さを長く設定する必要もなく、コンパクトな車椅子用ブレーキシステムの構造を提供する。【解決手段】ハンドルｂに連動する回転ドラムを内蔵したブレーキユニットｅを左右に配し、回転ドラムに連結したアウター付ワイヤーｃ、ｄで左右のブレーキユニットを連動させる。アウター付ワイヤー先端は回転ドラムに固定されている為、その軌道は常に一定となり、一方のワイヤー先端が短くなる分だけ他方のワイヤー先端が長く変化する。これにより左右のブレーキが遊びなく連動する。【選択図】図１
0003210416.tif 000002
【実用新案登録請求の範囲】
【請求項１】
車椅子の左右のブレーキをワイヤーにて連動する構造において、ブレーキレバーと連動する回転ドラムにてワイヤーを巻き取り動作させる構造。
【請求項２】
車椅子の左右のブレーキをワイヤーにて連動する構造においてカバーにてワイヤー及び機構部を覆う形状。
【考案の詳細な説明】
【技術分野】
【０００１】  本考案は車椅子のブレーキに関する。
【背景技術】
【０００２】  従来、車椅子のブレーキシステムは左右独立したものであり、その結果片側をかけ忘れ、そこに要介護者が手を付き転倒に至る事故が多発していた。
一般に車椅子の利用者は筋力や骨格も弱く転倒事故により骨折等の重大な結果に至る場合も多い。
介護者が車椅子の操作をする場合、左右独立したブレーキでは操作の手間がかかり、特にトイレ等の狭い空間では片側しかブレーキを掛けられない場合もある。
要介護者にはそもそも片側しかブレーキ操作ができない人もいる。
本考案はこれらの問題を解決する為のものである。
特開２００６−２２３８２７において左右のブレーキをアウター付ワイヤーで連動させる構造が提案されているが、ブレーキハンドルに直接アウター付ワイヤーを固定すると作動時にワイヤーが水平上の軌道で動かない為、左右のアウター付ワイヤーの先端長さの合計距離が変化する事となりアウター付ワイヤーが大きく遊び、結果として左右のブレーキの連動に大きな問題が発生する。
本考案はこのアウター付ワイヤーの遊びを無くし、左右のブレーキの連動を実現させる為のものである。
また、これによりコンパクトなブレーキシステムが実現可能となり、カバー等でワイヤーを覆い、より安全なブレーキシステムが製作可能となる。
【先行技術文献】
【特許文献】
【０００３】
【特許文献１】特開２００６−２２３８２７
【考案の概要】
【考案が解決しようとする課題】
【０００４】  そもそもワイヤー等で連動させる構造は古くから自動扉などに多用され衆知の技術である。
ワイヤー等で動作させる場合、常にワイヤーは一定の軌道上を動く必要があり、動作と共にこの軌道が変化してしまうとワイヤーの距離も変化し、これにより動作に支障をきたす事となる。
特開２００６−２２３８２７においてはまさにこの状況が発生し、これを解決する為に疑似的に軌道の変化を抑える為にアウター付ワイヤーの先端長さを極端に長くする必要がある。
これにより、車椅子の機種によっては取付け不可能となる。又むき出しのワイヤーにより利用者が危険にさらされる場合もある。
【課題を解決するための手段】
【０００５】  ブレーキハンドルに連動した回転ドラムを内蔵し、この回転ドラムにアウター付ワイヤーの先端を巻き付ける構造とした。
【考案の効果】
【０００６】  アウター付ワイヤー先端は回転ドラムに固定されている為、その軌道は常に一定となり、一方のワイヤー先端が短くなる分だけ他方のワイヤー先端が長く変化する。これにより左右のブレーキが遊びなく連動することが可能となる。
また、回転ドラムにより、アウター付ワイヤーの先端の長さを長く設定する必要もなくなり、これによりコンパクトなブレーキシステムが製作可能となる。
【図面の簡単な説明】
【０００７】
【図１】  本考案に関する車椅子連動ブレーキの実施例を示す。
【図２】  本考案に関する車椅子連動ブレーキの連動例を示す。
【図３】  本考案に関する車椅子連動ブレーキの断面例を示す。
【図４】  本考案に関する車椅子連動ブレーキの機構例を示す。
【図５】  特開２００６−２２３８２７による実施例、ブレーキオフ時を示す。
【図６】  特開２００６−２２３８２７による実施例、ブレーキオン時を示す。
【考案を実施するための形態】
【０００８】  以下本考案に関わる車椅子連動ブレーキの実施の形態を図面に従って説明する。
［図１］において、車椅子ａの左右にブレーキユニットｅを有し、アウター付ワイヤーｃ及びアウター付ワイヤーｄで襷掛け連結することにより、左右のブレーキハンドルｂが連動する構造となっている。
［図２］において、ブレーキハンドルｂに連結された回転ドラムｆにアウター付ワイヤーｃ、及びアウター付ワイヤーｄが襷掛け連結された状態を示す。
［図３］において、ブレーキユニットの断面を示し、ブレーキハンドルｂと内蔵した回転ドラムｆが連動することを示す。
［図４］において、ブレーキユニットの機構部を示し、ブレーキハンドルｂの動作とともに回転ドラムｆ及びブレーキｇが連動することを示す。
［図５］において、特開２００６−２２３８２７の実施形態のブレーキオフ時を示す。
［図６］において、特開２００６−２２３８２７の実施形態のブレーキオン時を示す。
この時アウター付ワイヤーの先端長さ合計のｈ＋ｉはｈ’＋ｉ’とはならない。
【実施例】
【０００９】  車椅子の左右のブレーキユニット内部にブレーキハンドルと連結した回転可能なドラムを有し、左右のブレーキユニットをアウター付ワイヤーにて襷掛け連結させた［図１］の様な構造のブレーキシステム
【産業上の利用可能性】
【００１０】  車椅子のブレーキシステム全般に関する。
【符号の説明】
【００１１】ａ    車椅子
ｂ    ブレーキハンドル
ｃ    アウター付ワイヤー
ｄ    アウター付ワイヤー
ｅ    ブレーキユニット
ｆ    回転ドラム
ｇ    ブレーキ
ｈ    アウター付ワイヤーの先端長さ  ブレーキオフ時
ｈ’  アウター付ワイヤーの先端長さ  ブレーキオン時
ｉ    アウター付ワイヤーの先端長さ  ブレーキオフ時
ｉ’  アウター付ワイヤーの先端長さ  ブレーキオン時
【図１】
0003210416.tif 000003
【図２】
0003210416.tif 000004
【図３】
0003210416.tif 000005
【図４】
0003210416.tif 000006
【図５】
0003210416.tif 000007
【図６】
0003210416.tif 000008
【手続補正書】
【提出日】平成29年2月24日(2017.2.24)
【手続補正１】
【補正対象書類名】実用新案登録請求の範囲
【補正対象項目名】全文
【補正方法】変更
【補正の内容】
【実用新案登録請求の範囲】
【請求項１】
車椅子の左右のブレーキをワイヤーにて連動する構造において、ブレーキレバーと連動する回転ドラムにてワイヤーを巻き取り動作させる構造。
【請求項２】
車椅子の左右のブレーキをワイヤーにて連動する構造においてカバーにてワイヤー及び機構部を覆う構造。